(57)【要約】【課題】地球環境に優しい冷媒を用いると共に運転騒音の静かな冷蔵庫を提供する。【解決手段】Ｒ２９０（プロパン）の冷媒が封入された冷媒管２９を介して圧縮機１７、凝縮器１９、絞り装置２１，２３、蒸発器１３，１５の順に連結し、圧縮機１７から吐出された冷媒が凝縮器１９、絞り装置２１，２３、蒸発器１３，１５を通り、再び圧縮機１７に戻る冷凍サイクルを構成する。一方、前記圧縮機１７の吐出側冷媒管２９に、圧縮機吐出時の吐出脈動を抑えるマフラー３１を設け、そのマフラーの長さＬを３５ｍｍ以上、２１０ｍｍ以下とする。【選択図】図１
2008128550.tif 000002
【特許請求の範囲】
【請求項１】
Ｒ２９０（プロパン）の冷媒が封入された冷媒管を介して圧縮機、凝縮器、絞り装置、蒸発器の順に連結され、圧縮機から吐出された冷媒が凝縮器、絞り装置、蒸発器を通り、再び圧縮機に戻る冷凍サイクルを備え、前記圧縮機の吐出側冷媒管に、圧縮機吐出時の吐出脈動を抑えるマフラーを設け、そのマフラーの長さを３５ｍｍ以上、２１０ｍｍ以下としたことを特徴とする冷蔵庫。
【請求項２】
前記マフラーは、吐出側冷媒管を所定角度屈曲し圧縮機本体の近接部位に沿って配置されていることを特徴とする請求項１記載の冷蔵庫。
【発明の詳細な説明】
【技術分野】
【０００１】
本発明は、冷媒にＲ２９０（プロパン）を用いたものに適する冷蔵庫に関する。
【背景技術】
【０００２】
一般に冷凍サイクルは、圧縮機から吐出された冷媒が凝縮器、絞り装置、蒸発器を通り、再び圧縮機に戻ることで冷凍サイクルが構成される。冷媒は地球の環境問題からフロン系冷媒から脱フロン系冷媒ということで、冷蔵庫の冷凍サイクルを構成する冷媒に可燃性冷媒が用いられ、既に製品化された公知の手段となっている。
【発明の開示】
【発明が解決しようとする課題】
【０００３】
冷凍サイクルを構成する圧縮機、凝縮器、絞り装置、蒸発器は今迄フロン系冷媒が使用されることを前提条件として最大の性能が発揮されるよう設計されてきたが、冷媒に可燃性冷媒を用いると物性が異なりそのまま使用することはできず、特に圧縮機において大きな影響が出てくる。その１つに圧縮機からの吐出脈動による騒音問題があげられる。
【０００４】
吐出脈動による騒音は、共振音がおもな原因となっているが圧縮機が配置される冷蔵庫の機械室内に納まる騒音レベルの共振周波数は３００〜４００Ｈｚとなっている。
【０００５】
したがって、使用する冷媒がかわって吐出圧力、音速が大きく変化すると吐出脈動による騒音を抑えきれない問題があった。
【０００６】
そこで、本発明にあっては地球環境に優しい冷媒を用いると共に騒音レベルの最大減衰量が得られるようにすることで運転騒音の静かな冷蔵庫を提供することを目的としている。
【課題を解決するための手段】
【０００７】
前記目的を達成するために、本発明にあっては、Ｒ２９０（プロパン）の冷媒が封入された冷媒管を介して圧縮機、凝縮器、絞り装置、蒸発器の順に連結され、圧縮機から吐出された冷媒が凝縮器、絞り装置、蒸発器を通り、再び圧縮機に戻る冷凍サイクルを備え、前記圧縮機の吐出側冷媒管に、圧縮機吐出時の吐出脈動を抑えるマフラーを設け、そのマフラーの長さを３５ｍｍ以上、２１０ｍｍ以下としたことを特徴とする。
【発明の効果】
【０００８】
本発明によれば、Ｒ２９０（プロパン）を使用することで地球環境に優しい冷媒となる。
【０００９】
一方、使用する冷媒が経済性、流通性を考慮してＲ２９０（プロパン）を用いた場合、例えば、騒音レベルが最大となる高負荷運転時において、圧縮機から吐出される吐出ガスの音速が２５０ｍ／ｓの時、最大減衰周波数が３００Ｈｚとなるには、２５０ｍ／ｓの音速に基づく計算式からマフラーの長さを２１０ｍｍとすることで達成できる。この場合、最大減衰周波数とはならないが、マフラーの長さを２１０ｍｍ以下で３５ｍｍ以上とすることで冷蔵庫の騒音レベルを抑えた効果が十分に得られるようになる。
【発明を実施するための最良の形態】
【００１０】
本発明は、吐出側冷媒管を所定角度屈曲し、圧縮機本体の近接部位に沿ってマフラーを配置することで、占有スペースの大きい圧縮機、マフラーを一箇所に集約し、他の機能部品を配置するための配置スペースが大きく確保できるようにする。
【実施例】
【００１１】
以下、図１乃至図７の図面を参照しながら本発明の実施形態について具体的に説明する。
【００１２】
図５は冷蔵庫の概要正面図を示しており、冷蔵庫１は上から順に冷蔵室３、野菜室５、製氷室７及び切替室９、冷凍室１１とを有している。
【００１３】
冷蔵室３及び野菜室５は図６に示すように第１の蒸発器１３によって、製氷室７及び切替室９並びに冷凍室１１は第２の蒸発器１５によってそれぞれ冷却されるようになっている。
【００１４】
図６は冷凍サイクル図を示したもので、前記した第１、第２の蒸発器１３，１５の外に、圧縮機１７、凝縮器１９、キャピラリチューブからなる第１、第２絞り装置２１，２３を有し、圧縮機１７から吐出された冷媒は、凝縮器１９、三方弁２５を介して一方は第1絞り装置２１から第１の蒸発器１３を通り、再び圧縮機１７へ戻る冷凍サイクルを構成している。また、三方弁２５を介して他方は第２絞り装置２３から第２の蒸発器１５を通り、再び圧縮機１７に戻る冷凍サイクルを構成し、冷媒には地球環境に優しく、経済性、流通性を考慮してＲ２９０（プロパン）が用いられている。
【００１５】
第１の蒸発器１３は冷蔵室３の後部（図示していない）に、第２の蒸発器１５は冷凍室１１の後部（図示していない）にそれぞれ配置され、第１、第２の蒸発器１３，１５の内、第１の蒸発器１３において熱交換された冷気は冷蔵室３、野菜室５を通り、再び第１の蒸発器１３へ向かう循環を繰り返すことで、庫内冷却が行われるようになっている。
【００１６】
また、第２の蒸発器１５において熱交換された冷気は、製氷室７及び切替室９並びに冷凍室１１を通り、再び第２の蒸発器１５へ向かう循環を繰返すことで庫内冷却が行われるようになっている。
【００１７】
圧縮機１７及び三方弁２５、逆止弁２７は図１に示すように冷蔵庫本体１ａの後部に設けられた機械室２８内に配置され、機械室２８は３００〜４００Ｈｚの共振周波数が収まる部屋に作られている。
【００１８】
圧縮機１７と凝縮器１９とをつなぐ吐出側冷媒管２９には吐出脈動を抑えるマフラー３１が設けられている。
【００１９】
マフラー３１は、図３に示す如く吐出側冷媒２９を所定角度屈曲させることで圧縮機本体１７ａの近接部位に沿って配置されている。屈曲方向としては図３に示す如く上方へ向かって屈曲させる場合と圧縮機本体１７ａの接線方向に沿って屈曲させる場合がある。これにより、圧縮機１７とマフラー３１が一箇所に集約されることで、圧縮機１７の吐出側冷媒管２９の延長部位に例えば、図１に示すごとく圧縮機用冷却ファン（図示していない）を配置する大きな配置スペース３３の確保が可能となっている。
【００２０】
一方、マフラー３１のマフラー径ｄは図２に示す如く吐出側冷媒管２９の管径より大きい径に形成されると共に、マフラー３１の長さＬは３５ｍｍ以上で２１０ｍｍ以下に設定されている。
【００２１】
マフラー３１の長さＬは、圧縮機１７から吐出される冷媒の音速がわかれば低減したい周波数成分に効果のある寸法に決定できる。
【００２２】
例えば、騒音が最大となる高負荷運転下の条件を想定して、使用する冷媒（Ｒ２９０）の吐出圧力が１．３４Ｍpa、温度が９０℃、音速が２５０ｍ／ｓの時に、最大減衰周波数が３００Ｈｚとするには次の式からマフラー長さＬが求められる。
【００２３】
［数１］
Ｌ＝（２ｎ＋１）・Ｃ／４・ｆｎ
ｎ：整数１，２，３‥‥      Ｃ：音速    ｆｎ；最大減衰周波数
となり、冷媒にＲ２９０を使用し、音速が２５０ｍ／ｓで最大減衰成分が３００Ｈｚとなるにはマフラー３１の長さＬを２１０ｍｍとすることが最適であることがわかる。
【００２４】
マフラー３１の長さＬは、実際の寸法を重視するため規定された設計値よりもマフラー長さを短くすることがあるが、使用する冷媒がＲ２９０の場合、マフラー長さＬが２１０ｍｍのように最大減衰周波数成分とならないまでも、長さＬの範囲の下限が３５ｍｍ以上であれば冷蔵庫の十分な騒音減衰効果があることが確認されている。
【００２５】
このように構成された冷蔵庫１によれば、使用する冷媒が地球環境に優しい冷媒になると共に運転時において機械室２８内に配置された圧縮機１７から吐出されル吐出脈動はマフラー３１によって減衰される。その実験結果を図７に示す。
【００２６】
図７は縦軸に騒音値（ｄＢ）、横軸に周波数成分（Ｈｚ）をとり、冷媒にＲ２９０を使用した時の吐出時の音速が２５０ｍ／ｓ条件において、マフラー３１の長さＬが３５ｍｍ（点線）と２１０ｍｍ（実線）の騒音値を調べたものである。この結果からもわかるようにマフラー長さＬが２１０ｍｍの時に最大減衰結果が得られることが実験値でも確かめられた。
【図面の簡単な説明】
【００２７】
【図１】本発明にかかる冷蔵庫の機械室を示した概要斜視図。
【図２】圧縮機の吐出側冷媒管に設けられたマフラーを示す概要平面図。
【図３】吐出側冷媒管を９０°上方へ向けて屈曲しマフラーを圧縮機本体に接近させて配置した概要説明図。
【図４】吐出側冷媒管を圧縮機本体の接線方向に沿って屈曲しマフラーを圧縮機本体に接近させて配置した概要説明図。
【図５】冷蔵庫の概要正面図。
【図６】冷凍サイクル図。
【図７】マフラーの長さが３５ｍｍの時と２１０ｍｍの時の騒音値と周波数成分との関係を示した説明図。
【符号の説明】
【００２８】
１ａ    冷蔵庫本体
１３    第１の蒸発器
１５    第２の蒸発器
１７    圧縮機
１７ａ    圧縮機本体
１９    凝縮器
２１    第１絞り装置
２３    第２絞り装置
２９    冷媒管（吐出側）
３１    マフラー３１
【図１】
2008128550.tif 000003
【図２】
2008128550.tif 000004
【図３】
2008128550.tif 000005
【図４】
2008128550.tif 000006
【図５】
2008128550.tif 000007
【図６】
2008128550.tif 000008
【図７】
2008128550.tif 000009